(57)【要約】【課題】記憶されているデータの読み出しを行うとき、クロック周波数を変更せずに、読み出しタイミングを変更する。【解決手段】第１の水平画素数×第１の垂直画素数から構成される画像を、第１のクロック周波数のクロックに基づき記憶部に書き込む。その書き込まれた画像は、設定されているモードに応じて、第１の水平画素数×第１の垂直画素数から構成される画像として、第２のクロック周波数のクロックに基づき読み出すか、または第２の水平画素数×第２の垂直画素数から構成される画像として、第２のクロック周波数のクロックに基づき読み出す。第２の垂直画素数のうちのブランキングに対応する画素数は、ブランキング期間として確保したい時間に対応する画素数とされることで、読み出しのタイミングが変更される。本発明は、複数のモードを有するテレビジョン受像機に適用できる。【選択図】図１
2012242729.tif 000002
【特許請求の範囲】
【請求項１】
第１の水平画素数×第１の垂直画素数から構成される画像を、第１のクロック周波数のクロックに基づき記憶部に書き込む書き込み部と、
設定されているモードに応じて、前記記憶部に記憶されている前記画像を、前記第１の水平画素数×前記第１の垂直画素数から構成される画像として、第２のクロック周波数のクロックに基づき読み出すか、または第２の水平画素数×第２の垂直画素数から構成される画像として、前記第２のクロック周波数のクロックに基づき読み出す読み出し部と
を備えるデータ処理装置。
【請求項２】
前記第２の垂直画素数のうちのブランキングに対応する画素数は、ブランキング期間として確保したい時間に対応する画素数とされる
請求項１に記載のデータ処理装置。
【請求項３】
前記第１のクロック周波数の逆数、前記第１の水平画素数、および前記第１の垂直画素数を乗算した値と、前記第２のクロック周波数の逆数、前記第２の水平画素数、および前記第２の垂直画素数を乗算した値が、略同一になるように、前記第２の水平画素数と前記第２の垂直画素数が決定される
請求項１に記載のデータ処理装置。
【請求項４】
記憶部に対してデータの書き込みや読み出しを行うデータ処理装置のデータ処理方法において、
第１の水平画素数×第１の垂直画素数から構成される画像を、第１のクロック周波数のクロックに基づき前記記憶部に書き込み、
設定されているモードに応じて、前記記憶部に記憶されている前記画像を、前記第１の水平画素数×前記第１の垂直画素数から構成される画像として、第２のクロック周波数のクロックに基づき読み出すか、または第２の水平画素数×第２の垂直画素数から構成される画像として、前記第２のクロック周波数のクロックに基づき読み出す
ステップを含むデータ処理方法。
【請求項５】
記憶部に対してデータの書き込みや読み出しを行うデータ処理装置に、
第１の水平画素数×第１の垂直画素数から構成される画像を、第１のクロック周波数のクロックに基づき前記記憶部に書き込み、
設定されているモードに応じて、前記記憶部に記憶されている前記画像を、前記第１の水平画素数×前記第１の垂直画素数から構成される画像として、第２のクロック周波数のクロックに基づき読み出すか、または第２の水平画素数×第２の垂直画素数から構成される画像として、前記第２のクロック周波数のクロックに基づき読み出す
ステップを含む処理を実行させるコンピュータが読み取り可能なプログラム。
【発明の詳細な説明】
【技術分野】
【０００１】
本技術は、データ処理装置、データ処理方法、およびプログラムに関する。詳しくは、データの読み出しに必要とされるクロックの周波数を変更せずに、読み出しのタイミングを可変とすることができるデータ処理装置、データ処理方法、およびプログラムに関する。
【背景技術】
【０００２】
近年、ディスプレイの大型化、細密化が進んでいる。このようなディスプレイは、液晶や有機ＥＬといった表示デバイスで構成されることが主流となりつつある。そこで、液晶内に存在する不純物イオンを非表示領域へ移動させ、当該不純物イオンに起因する画質不良を解消するに当たって、非表示領域の表示ムラに起因する画質不良を無くすために、垂直ブランキング期間に、非表示領域内の各画素の画素電極にプリチャージ信号を供給し、非表示領域内の各画素をＡＣ駆動することが提案されている（例えば、特許文献１参照）。
【０００３】
また、特許文献２においては、垂直ブランキング期間において、液晶パネル内の信号線の信号の極性が規則的に交流反転しないと、信号線と画素とのカップリングに起因して輝度が変動し、画質が低下するために、垂直ブランキング期間においても例えば１Ｈ周期のＦＲＰパルスを生成するようにし、垂直ブランキング期間の表示用映像信号を規則的に交流反転させて液晶パネルの信号線に書き込むことが提案されている。
【０００４】
また、特許文献３においては、映像信号と非同期に動作モードを切り替えると、動作モードが切り替わる前の状態と切り替わった後の状態の２つの状態が存在することになり、動作モードの切替えがスムーズに移行しないため、画質を損なうことがあるため、垂直ブランキング期間中にモード切替えを行うようにすることが提案されている。
【先行技術文献】
【特許文献】
【０００５】
【特許文献１】特開2008-170686号公報
【特許文献２】特開平11-231843号公報
【特許文献３】特開平11-2020834号公報
【発明の概要】
【発明が解決しようとする課題】
【０００６】
特許文献１乃至３においては、液晶などの表示デバイスを用いたディスプレイなどで垂直ブランキング期間内で、所定の処理を行うことが提案されている。しかしながら、垂直ブランキング期間は固定とされ、その期間内に所定の処理が行われるため、垂直ブランキング期間自体を変更する必要がある場合などには対応できなかった。また垂直ブランキング期間を変更するために、クロック周波数を変更できるように回路を構成すると、その回路の前後の回路などにも変更を施す必要があり、設計に時間がかかってしまう。
【０００７】
本技術は、このような状況に鑑みてなされたものであり、クロック周波数を変更せずに、垂直ブランキング期間を調整できるようにするものである。
【課題を解決するための手段】
【０００８】
本技術の一側面のデータ処理装置は、第１の水平画素数×第１の垂直画素数から構成される画像を、第１のクロック周波数のクロックに基づき記憶部に書き込む書き込み部と、設定されているモードに応じて、前記記憶部に記憶されている前記画像を、前記第１の水平画素数×前記第１の垂直画素数から構成される画像として、第２のクロック周波数のクロックに基づき読み出すか、または第２の水平画素数×第２の垂直画素数から構成される画像として、前記第２のクロック周波数のクロックに基づき読み出す読み出し部とを備える。
【０００９】
前記第２の垂直画素数のうちのブランキングに対応する画素数は、ブランキング期間として確保したい時間に対応する画素数とされるようにすることができる。
【００１０】
前記第１のクロック周波数の逆数、前記第１の水平画素数、および前記第１の垂直画素数を乗算した値と、前記第２のクロック周波数の逆数、前記第２の水平画素数、および前記第２の垂直画素数を乗算した値が、略同一になるように、前記第２の水平画素数と前記第２の垂直画素数が決定されるようにすることができる。
【００１１】
本技術の一側面のデータ処理方法は、記憶部に対してデータの書き込みや読み出しを行うデータ処理装置のデータ処理方法において、第１の水平画素数×第１の垂直画素数から構成される画像を、第１のクロック周波数のクロックに基づき前記記憶部に書き込み、設定されているモードに応じて、前記記憶部に記憶されている前記画像を、前記第１の水平画素数×前記第１の垂直画素数から構成される画像として、第２のクロック周波数のクロックに基づき読み出すか、または第２の水平画素数×第２の垂直画素数から構成される画像として、前記第２のクロック周波数のクロックに基づき読み出すステップを含む。
【００１２】
本技術の一側面のプログラムは、記憶部に対してデータの書き込みや読み出しを行うデータ処理装置に、第１の水平画素数×第１の垂直画素数から構成される画像を、第１のクロック周波数のクロックに基づき前記記憶部に書き込み、設定されているモードに応じて、前記記憶部に記憶されている前記画像を、前記第１の水平画素数×前記第１の垂直画素数から構成される画像として、第２のクロック周波数のクロックに基づき読み出すか、または第２の水平画素数×第２の垂直画素数から構成される画像として、前記第２のクロック周波数のクロックに基づき読み出すステップを含む処理を実行させるコンピュータが読み取り可能なプログラムである。
【００１３】
本技術の一側面のデータ処理装置、データ処理方法、並びにプログラムにおいては、第１の水平画素数×第１の垂直画素数から構成される画像が、第１のクロック周波数のクロックに基づき記憶部に書き込まれ、設定されているモードに応じて、記憶部に記憶されている画像が、第１の水平画素数×第１の垂直画素数から構成される画像として、第２のクロック周波数のクロックに基づき読み出されるか、または第２の水平画素数×第２の垂直画素数から構成される画像として、第２のクロック周波数のクロックに基づき読み出される。
【発明の効果】
【００１４】
本技術の一側面によれば、クロック周波数を変更せずに、垂直ブランキング期間を調整できる。
【図面の簡単な説明】
【００１５】
【図１】本技術を適用したデータ処理装置の一実施の形態の構成を示す図である。
【図２】データの読み出しのタイミングについて説明するための図である。
【図３】入力されるデータのフォーマットについて説明するための図である。
【図４】出力されるデータのフォーマットについて説明するための図である。
【図５】記録媒体について説明するための図である。
【発明を実施するための形態】
【００１６】
以下に、本技術の実施の形態について図面を参照して説明する。
【００１７】
［ブランキング期間の制御を行う装置の構成について］
以下に説明する本技術は、入力されたデータをメモリに記憶させ、その記憶されたデータの読み出しのタイミングを制御する際に適用できる。ここではより具体的に、テレビジョン受像機における信号を処理する場合を例に挙げて説明する。また、以下の説明では、ブランキング期間を調整する場合を例に挙げて説明する。
【００１８】
図１は、本技術を適用したデータ処理装置の一実施の形態の構成を示す図である。図１に示した装置は、ブランキング制御部１０、メモリ１１、制御部１２、およびパネル１３から構成されている。またブランキング制御部１０は、メモリコントローラ２１とタイミングコントローラ２２を含む構成とされる。
【００１９】
ブランキング制御部１０には、図示されていないアンテナに受信され、処理された信号のデータが入力される。ブランキング制御部１０に入力されたデータは、メモリコントローラ２１の制御の基、メモリ１１に供給され、一旦記憶される。また、入力データのうち、垂直同期信号（Vsync）、水平同期信号（Hsync）、データイネーブル（enable）信号は、タイミングコントローラ２２に供給される。タイミングコントローラ２２は、供給される信号から、メモリ１１に記憶されているデータを読み出し、パネル１３に供給するタイミングを制御するための信号を生成し、メモリコントローラ２１に供給する。
【００２０】
メモリコントローラ２１は、タイミングコントローラ２２の制御の基、メモリ１１に記憶されているデータ読み出し、パネル１３に供給する。制御部１２は、ブランキング制御部１０を制御する。パネル１３は、液晶デバイスや有機ＥＬデバイスなどの表示デバイスから構成される。メモリ１１は、ＤＤＲなどが用いられる。
【００２１】
［読み出しタイミングについて］
図２を参照し、読み出しのタイミングについて説明する。図２Ａに示したように、垂直同期信号Ａ（図中、VsyncAと表記）が供給され、イネーブル信号Ａ（図中、enableAと表記）が供給された場合、このイネーブル信号Ａに合わせて、データＡ（図中、dataAと表記）が、メモリ１１から読み出され、パネル１３に供給される。この垂直同期信号は、所定のクロック周波数のクロック（不図示）に基づいて生成される信号である。
【００２２】
イネーブル信号Ａの立ち下がりから、次のイネーブル信号Ａの立ち上がりまでの期間、換言すれば、データｎの読み出しが完了されてから、データ０の読み出しが開始されるまでの期間が、ブランキング期間Ａ（図中、blankAと表記）となる。このブランキング期間Ａは、表示モードなどにより、調整する必要がある場合がある。表示モードとして、例えば、２Ｄ、３Ｄといったモードがある場合を考える。２Ｄモードのままであれば、ブランキング期間Ａを変更する必要がないため、図２Ａに示したタイミングで、メモリ１１から読み出しが行われる。
【００２３】
２Ｄモードから３Ｄモードに変更された場合、ブランキング期間Ａを、そのブランキング期間Ａよりも長い期間のブランキング期間Ｂ（図２Ｂ）に変更する必要がある。例えば、３Ｄモードで、立体像をユーザに提供するとき、専用のメガネが用いられる方式がある。この方式によれば、左目用のシャッターと右目用のシャッターがメガネに設けられ、このシャッターの開閉により左目用の画が、左目に提供され、右目用の画が、右目に提供されるように構成されている。
【００２４】
このようなメガネにおいては、一方のシャッターを閉じ、他方のシャッターを開けるといったシャッターの切り換え時間が必要となる。この切り換えは、ブランキング期間に行われる。よって、ブランキング期間は、シャッターの切り換え時間よりも長くなるように設定される必要がある。このように、表示モードの変更に伴い、ブランキング期間を変更する必要がある場合がある。
【００２５】
ブランキング期間Ａをブランキング期間Ｂに変更する場合について説明を加える。図２Ｂに、ブランキング期間Ｂのときの垂直同期信号Ｂとイネーブル信号Ｂを示す。ブランキング期間Ｂは、イネーブル信号Ｂの立ち下がりから立ち上がりまでの時間である。ブランキング期間Ａよりブランキング期間Ｂの方を長く（広く）する場合、このイネーブル信号Ｂが立ち上がっている時間を短くすることで実現できる。
【００２６】
イネーブル信号Ｂは、所定のクロック周波数のクロックに基づいて生成されるため、このクロックのクロック周波数を上げることで、イネーブル信号Ｂの立ち上がっている時間を短くすることができる。またブランキング期間Ｂからブランキング期間Ａのように、ブランキング期間を短く（狭く）する場合には、クロック周波数を下げることで実現できる。後述するように、本実施の形態においては、クロック周波数を固定のままブランキング期間を変更するが、比較のために、まずクロック周波数を変更することでブランキング期間を変更する場合について説明を加える。
【００２７】
［クロック周波数を変更してブランキング期間を変更する場合について］
このようにクロック周波数を変更することで、ブランキング期間を変更するようにした場合、図１に示したブランキング制御部１０では、以下のような処理が行われる。図示していない操作部が操作されることで、ユーザから、２Ｄモードから３Ｄモードの変更が指示されると、制御部１２は、タイミングコントローラ２２に対して供給されるクロックのクロック周波数を変更する。２Ｄモードのときのクロック周波数をクロック周波数Ａとし、３Ｄモードのときのクロック周波数をクロック周波数Ｂとすると、クロック周波数Ａからクロック周波数Ｂへの変更が指示される。
【００２８】
ブランキング制御部１０は、メモリ１１からのデータの読み出しを、２Ｄモードのときには、クロック周波数Ａで読み出しが行われるように制御し、３Ｄモードのときにはクロック周波数Ｂで読み出しが行われるように制御する。このようにクロック周波数Ａ、クロック周波数Ｂで、それぞれ動作するようにブランキング制御部１０を構成した場合、クロック周波数Ａ、クロック周波数Ｂをそれぞれ発生するクロック発生部（不図示）が必要となる。よって、このような場合、２つのクロック発生部を備える、または２つのクロックを切り換えて発生することができるクロック発生部を備える必要がある。
【００２９】
また、異なるクロック周波数が用いられるとなると、ブランキング制御部１０内は勿論、ブランキング制御部１０の後段の処理部なども含めた設計が必要となる。ブランキング制御部１０の後段の処理部とは、例えば、ブランキング制御部１０とパネル１３とをつなぐインタフェースなどである。またパネル１３も特性があり、その特性に合わせてメモリ１１から読み出しを制御する必要がある。よって、クロック周波数を可変に構成するためには、クロック周波数毎にインタフェース、パネルの特性などを考慮した設計が必要となる。
【００３０】
［クロック周波数を変更せずにブランキング期間を変更する場合について］
このようにクロック周波数を変更することで、ブランキング期間を変更する場合、他の部分への影響も大きく、その影響を考慮した設計が必要となる。そこで、クロック周波数を変更せずに、ブランキング期間を変更することについて、以下に説明する。ここでは、ブランキング期間Ａのときに用いられるクロックのクロック周波数Ａを固定とし、このクロック周波数Ａを用いて、ブランキング期間Ｂに変更する場合を例に挙げて説明する。
【００３１】
ブランキング制御部１０には、図３に示したようなフォーマットでのデータが入力される。図３において、数字は画素数（ドット数）を表している。図３において、有効画像は、９６０×１０８０（横×縦）の画素数で構成される。この有効画像がパネル１３に表示され、ユーザ側に提供される画像である。図３において、水平方向のブランキングは、５１２画素とされ、垂直方向のブランキングは５４画素とされている。
【００３２】
図３に示した例では、ブランキングの部分も含めると、１４７２×１１３４（横×縦）というフォーマット形式の画像である。このような画像が、ブランキング制御部１０に入力され、メモリ１１に記憶されるとする。この入力のときに用いられるクロックのクロック周波数を、入力クロック周波数として、入力クロック周波数clkiと適宜記述する。メモリ１１からの読み出しは、クロック周波数Ａのクロックに基づいて行われる。このクロック周波数Ａは、入力クロック周波数clkiとは異なる周波数であることが多い。クロック周波数Ａは、パネル１３の特性などを考慮して設定された周波数であるため、入力クロック周波数clkiとは異なることが多い。
【００３３】
クロック周波数Ａに基づいて、読み出しが行われる場合、その読み出しは、ブランキング期間Ａとなるように設定されているため、図３に示したようなフォーマット形式で入力された画像は、このフォーマット形式のまま出力される。すなわち、この場合、１４７２×１１３４というフォーマット形式が維持され、クロック周波数Ａに基づいて生成されるイネーブル信号Ａでメモリ１１からメモリコントローラ２１の制御の基、パネル１３に対してデータが読み出され、供給される。
【００３４】
モードが変更されなければ、このような読み出しが行われる。そして、モードの変更が指示されると、図４に示したようなフォーマット形式の画像に変換されて、読み出しが行われる。モードの変更が指示されたことにより、ブランキング期間Ａをブランキング期間Ｂに変更して出力する必要がある。ブランキング期間Ａは、図３に示したようなフォーマット形式の画像が読み出される場合、垂直方向のブランキングのドット数である５４画素分に相当する期間となる。
【００３５】
よって、ブランキング期間Ａをブランキング期間Ｂに変更するには、垂直方向のブランキングのドット数を調整することで変更することができる。図４に示した例では、垂直方向のブランキングのドット数は、４００画素とされている。このドット数は、ブランキング期間Ｂとして、どの程度の期間が必要かにより設定される。例えば、上述したような３Ｄモードのときにメガネのシャッターの切り換え時間をブランキング期間内に確保することを目的とした場合、この切り換え時間が確保できるブランキング期間に対応するドット数が設定される。ここでは、そのドット数が、４００である場合を例に挙げて説明を続ける。
【００３６】
図４に示すように、垂直方向のブランキングのドット数が４００とされると、フォーマット形式自体は、１１２８×１４８０（横×縦）のフォーマット形式となる。この場合、１４７２×１１３４というフォーマット（図３）の画像から、１１２８×１４８０というフォーマット（図４）の画像に変換されて、読み出しが行われる。このときの読み出しは、クロック周波数Ａに基づいて行うことができるため、クロック周波数の変更を伴わずに、ブランキング期間を変更することが可能となる。
【００３７】
このブランキング期間の変更の前後のフォーマットには、以下のような関係が成り立つ。
httli×vttli／clki＝httlo×vttlo／clko  ・・・（１）
この式（１）のうち、clkiは、入力時のクロック周波数である。httliは、入力時のフォーマットにおける水平方向のドット数である。Vttliは、入力時のフォーマットにおける垂直方向のドット数である。clkoは、出力時のクロック周波数である。httloは、出力時のフォーマットにおける水平方向のドット数である。Vttloは、出力時のフォーマットにおける垂直方向のドット数である。
【００３８】
左辺の水平方向のドット数httliは、例えば、図３における水平方向のドット数である１４７２である。また、垂直方向のドット数Vttliは、例えば、図３における垂直方向のドット数である１１３４である。この左辺の入力時のクロック周波数httli、水平方向のドット数httli、および垂直方向のドット数Vttliは、それぞれ固定値であるため、左辺の値は一定値となる。よって、左辺の値は、予め計算しておくことも可能である。
【００３９】
右辺の出力時のクロック周波数httloは、例えば、上述したクロック周波数Ａである。右辺の水平方向のドット数httloは、例えば、図４における水平方向のドット数である１１２８である。また、垂直方向のドット数Vttloは、例えば、図４における垂直方向のドット数である１４８０である。このうち、出力時のクロック周波数httloは、クロック周波数Ａで固定値である。
【００４０】
垂直方向のドット数Vttloは、ブランキング期間として確保したい期間に相当するドット数、例えば、上述した説明においては４００と設定されるため、所定のモードにおいては、この値といったように決めうちの固定値として扱うことが可能な値である。よって、右辺のクロック周波数httloと垂直方向のドット数Vttloが固定値であり、左辺も上記したように固定値である。このことを利用することで、水平方向のドット数httloを上記関係式（１）から算出することができる。
【００４１】
制御部１２は、モードの変更が指示されたとき、上記した関係式（１）から、水平方向のドット数httloを算出し、フォーマットの変換を行って読み出しを行うようにしてもよい。なお、上述した式（１）では、左辺と右辺が等しい値になるとして説明したが、近似でも良い。すなわち、次式（２）が用いられるようにしても良い。
httli×vttli／clki≒httlo×vttlo／clko  ・・・（２）
【００４２】
式（２）で算出された水平方向のドット数httloが、整数値ではない場合、小数点以下を切り捨てる、四捨五入するといった処理がなされ、整数値にされる。この程度の誤差は、ブランキング期間で吸収することができるため、この誤差により影響はない。
【００４３】
または、予め上記関係式（１）から算出される値が書き込まれたテーブルが保持され、モードの変更が指示されたときに、そのテーブルが参照されて、水平方向のドット数httloが決定され、フォーマットの変換が行われて読み出しが行われるようにしてもよい。
【００４４】
このように、ブランキング制御部１０においては、第１の水平画素数×第１の垂直画素数から構成される画像を、第１のクロック周波数のクロックに基づきメモリ１１に書き込むための処理が行われる。また、ユーザによりその時点で設定されているモード、例えば、２Ｄモードや３Ｄモードといったモードに応じて、メモリ１１に記憶されている画像が、第１の水平画素数×第１の垂直画素数から構成される画像として、すなわち、入力時と同じフォーマットで、第２のクロック周波数のクロックに基づき読み出しが行われる。または第２の水平画素数×第２の垂直画素数から構成される画像として、すなわち、入力時とは異なるフォーマットで、第２のクロック周波数のクロックに基づき読み出しが行われる。
【００４５】
なお、上述した実施の形態においては、２Ｄモード、３Ｄモードがあるとして説明をしたが、２以上の複数のモードがあるときにも、本技術は適用できる。複数のモードがあるときには、それぞれのモードで必要とされるブランキング期間に対応する垂直方向のブランキングのドット数が設定され、その設定されたドット数に対応し、上記式（１）または式（２）で算出される値が用いられてフォーマットが変換される。そして、変換後のフォーマットにおいてメモリ１１からのデータの読み出しが制御される。
【００４６】
また、制御部１２が、式（１）または式（２）により、モードの変換時に水平方向のドット数httloを算出し、フォーマットの変換を行って読み出しを行うように構成した場合、入力時のフォーマットが複数あるような場合や、設計時にはなかった新たに設定されたフォーマットに対しても対応することが可能となる。
【００４７】
このように、本実施の形態においては、ブランキング期間を変更する必要が生じたとき、クロック周波数を変更することなく、読み出し時の水平方向のブランキングのドット数と、垂直方向のブランキングのドット数を変えることで、メモリ１１からのデータの読み出しを行うようにした。換言すれば、水平ブランキングと垂直ブランキングのバランスを変更してメモリ１１からのデータの読み出しを行うようにしたい。
【００４８】
このように読み出しを行うことで、入力クロック周波数と出力クロック周波数のどちらも変更することなく、予め設定されている固定のクロック周波数を用いて、ブランキング期間の変更を行うことができる。
【００４９】
よって、クロック周波数を可変とした場合においては、パネル１３の特性や、インタフェースなどのさまざまな、クロック周波数が変わることにより影響を受ける部分を考慮した設計しなくてはならなかったが、そのようなことを考慮しなくとも良くなり、設計時の負担を軽減することが可能となる。ただし、水平ブランキングと垂直ブランキングのバランスが変更されるため、変更後のフォーマットが扱えるように、後段の処理部などを設計する必要はある。またこのような読み出しを行うことで、チップ（Chip）内部の動作周波数と外部へのクロック周波数を変えずにすむため、合成タイミングの収束や外部インタフェースの保障が容易になる。
【００５０】
なお、上述した実施の形態においては、テレビジョン受像機における信号を処理する場合を例に挙げて説明したが、このような実施の形態に本技術の適用範囲が限定されるのではない。例えば、クロック周波数を用いてデータの読み出しを行う場合に、本技術を適用することができる。
【００５１】
［記録媒体について］
上述した一連の処理は、ハードウエアにより実行することもできるし、ソフトウエアにより実行することもできる。一連の処理をソフトウエアにより実行する場合には、そのソフトウエアを構成するプログラムが、コンピュータにインストールされる。ここで、コンピュータには、専用のハードウエアに組み込まれているコンピュータや、各種のプログラムをインストールすることで、各種の機能を実行することが可能な、例えば汎用のパーソナルコンピュータなどが含まれる。
【００５２】
図５は、上述した一連の処理をプログラムにより実行するコンピュータのハードウエアの構成例を示すブロック図である。コンピュータにおいて、ＣＰＵ（Central Processing Unit）１００１、ＲＯＭ（Read Only Memory）１００２、ＲＡＭ（Random Access Memory）１００３は、バス１００４により相互に接続されている。バス１００４には、さらに、入出力インタフェース１００５が接続されている。入出力インタフェース１００５には、入力部１００６、出力部１００７、記憶部１００８、通信部１００９、及びドライブ１０１０が接続されている。
【００５３】
入力部１００６は、キーボード、マウス、マイクロフォンなどよりなる。出力部１００７は、ディスプレイ、スピーカなどよりなる。記憶部１００８は、ハードディスクや不揮発性のメモリなどよりなる。通信部１００９は、ネットワークインタフェースなどよりなる。ドライブ１０１０は、磁気ディスク、光ディスク、光磁気ディスク、又は半導体メモリなどのリムーバブルメディア１０１１を駆動する。
【００５４】
以上のように構成されるコンピュータでは、ＣＰＵ１００１が、例えば、記憶部１００８に記憶されているプログラムを、入出力インタフェース１００５及びバス１００４を介して、ＲＡＭ１００３にロードして実行することにより、上述した一連の処理が行われる。
【００５５】
コンピュータ（ＣＰＵ１００１）が実行するプログラムは、例えば、パッケージメディア等としてのリムーバブルメディア１０１１に記録して提供することができる。また、プログラムは、ローカルエリアネットワーク、インターネット、デジタル衛星放送といった、有線または無線の伝送媒体を介して提供することができる。
【００５６】
コンピュータでは、プログラムは、リムーバブルメディア１０１１をドライブ１０１０に装着することにより、入出力インタフェース１００５を介して、記憶部１００８にインストールすることができる。また、プログラムは、有線または無線の伝送媒体を介して、通信部１００９で受信し、記憶部１００８にインストールすることができる。その他、プログラムは、ＲＯＭ１００２や記憶部１００８に、あらかじめインストールしておくことができる。
【００５７】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【００５８】
また、本明細書において、システムとは、複数の装置により構成される装置全体を表すものである。
【００５９】
なお、本技術の実施の形態は、上述した実施の形態に限定されるものではなく、本技術の要旨を逸脱しない範囲において種々の変更が可能である。
【００６０】
なお、本技術は以下のような構成も取ることができる。
【００６１】
（１）
第１の水平画素数×第１の垂直画素数から構成される画像を、第１のクロック周波数のクロックに基づき記憶部に書き込む書き込み部と、
設定されているモードに応じて、前記記憶部に記憶されている前記画像を、前記第１の水平画素数×前記第１の垂直画素数から構成される画像として、第２のクロック周波数のクロックに基づき読み出すか、または第２の水平画素数×第２の垂直画素数から構成される画像として、前記第２のクロック周波数のクロックに基づき読み出す読み出し部と
を備えるデータ処理装置。
（２）
前記第２の垂直画素数のうちのブランキングに対応する画素数は、ブランキング期間として確保したい時間に対応する画素数とされる
前記（２）に記載のデータ処理装置。
（３）
前記第１のクロック周波数の逆数、前記第１の水平画素数、および前記第１の垂直画素数を乗算した値と、前記第２のクロック周波数の逆数、前記第２の水平画素数、および前記第２の垂直画素数を乗算した値が、略同一になるように、前記第２の水平画素数と前記第２の垂直画素数が決定される
前記（１）または前記（２）のいずれかに記載のデータ処理装置。
（４）
記憶部に対してデータの書き込みや読み出しを行うデータ処理装置のデータ処理方法において、
第１の水平画素数×第１の垂直画素数から構成される画像を、第１のクロック周波数のクロックに基づき前記記憶部に書き込み、
設定されているモードに応じて、前記記憶部に記憶されている前記画像を、前記第１の水平画素数×前記第１の垂直画素数から構成される画像として、第２のクロック周波数のクロックに基づき読み出すか、または第２の水平画素数×第２の垂直画素数から構成される画像として、前記第２のクロック周波数のクロックに基づき読み出す
ステップを含むデータ処理方法。
（５）
記憶部に対してデータの書き込みや読み出しを行うデータ処理装置に、
第１の水平画素数×第１の垂直画素数から構成される画像を、第１のクロック周波数のクロックに基づき前記記憶部に書き込み、
設定されているモードに応じて、前記記憶部に記憶されている前記画像を、前記第１の水平画素数×前記第１の垂直画素数から構成される画像として、第２のクロック周波数のクロックに基づき読み出すか、または第２の水平画素数×第２の垂直画素数から構成される画像として、前記第２のクロック周波数のクロックに基づき読み出す
ステップを含む処理を実行させるコンピュータが読み取り可能なプログラム。
【符号の説明】
【００６２】
１０  ブランキング制御部，  １１  メモリ，  １２  制御部，  １３  パネル，  ２１  メモリコントローラ，  ２２  タイミングコントローラ
【図１】
2012242729.tif 000003
【図２】
2012242729.tif 000004
【図３】
2012242729.tif 000005
【図４】
2012242729.tif 000006
【図５】
2012242729.tif 000007